(57)【要約】      （修正有）【課題】野菜や果物のジュースを搾る機能をさらに向上させることができるジューサーミキサー脱水装置を提供する。【解決手段】ジューサーミキサー脱水装置はカップ体、カップ状フィルター、上蓋を含む。カップ体は容室、開孔、液体流出部を含み、しかも開孔と液体流出部はそれぞれ容室とカップ体外部に連通する。カップ状フィルターは容室内に収容設置され、カップ体との間には一定の空間を隔て、しかもカップ状フィルターは収容室及び回転部品を含む。回転部品は開孔を貫通し、カップ体外部に露出する。上蓋はカップ体に蓋設し、容室と収容室を封鎖する。前記構造により、すでにジュースを搾る動作完成後の野菜や果物の汁を収容室内に入れ、さらに脱水機原理を利用し、前記の野菜や果物の汁にいわゆる「脱水」動作を行わせる。【選択図】図１
0003142075.tif 000002
【実用新案登録請求の範囲】
【請求項１】
ジューサーミキサー脱水装置はカップ体、カップ状フィルター、上蓋を含み、
前記カップ体は容室、開孔、液体流出部を含み、しかも前記開孔と前記液体流出部はそれぞれ前記容室と前記カップ体外部に連通し、
前記カップ状フィルターは前記カップ体の前記容室内に収容設置され、前記カップ体との間に空間を設け、前記カップ状フィルターは収容室及び回転部品を含み、しかも前記回転部品は前記開孔を貫通し、前記カップ体外部に露出し、
前記上蓋は前記カップ体に蓋設し、前記容室と前記収容室を封鎖することを特徴とするジューサーミキサー脱水装置。
【請求項２】
前記ジューサーミキサー脱水装置はさらに漏斗を含み、しかも前記上蓋は通孔を含み、前記通孔は前記カップ状フィルターの前記収容室に連通し、しかも前記漏斗は前記上蓋に設置され、前記通孔を貫通し、前記収容室に連通することを特徴とする請求項１記載のジューサーミキサー脱水装置。
【請求項３】
前記ジューサーミキサー脱水装置はさらに濾紙を含み、しかも前記濾紙は前記カップ状フィルターの前記収容室内に設置されることを特徴とする請求項１記載のジューサーミキサー脱水装置。
【請求項４】
前記液体流出部は蛇口であることを特徴とする請求項１記載のジューサーミキサー脱水装置。
【考案の詳細な説明】
【技術分野】
【０００１】
本考案はジューサーミキサー脱水装置に関する。特に野菜や果物のジュースを搾る機能をさらに向上させることができるジューサーミキサー脱水装置に係る。
【背景技術】
【０００２】
一般の家庭生活において、健康増進を目的とし、或いは純粋に好みの飲料を作る目的のために、人々はジューサーミキサーを利用し野菜や果物のジュースを搾る。
【０００３】
現在、市販されているジューサーミキサーは、単純にジュースを搾る機能だけを備える。また伝統的なジューサーミキサーはカップ体を備え、野菜や果物を該カップ体に入れた後、機体の回転動力源により回転部品（回転カッター体）の回転を駆動し、これにより該カップ体内の野菜や果物を回転させ、ジュースを搾る動作を行う。
【０００４】
ジュースを搾る動作の完成後、カップ体を取り出し、完成した野菜や果物のジュースをグラスなどに注ぐ。さらに、前記過程においては、フィルターを使用し、前記野菜や果物の汁内に残留する果肉やかすを濾過し、グラスなど内の野菜や果物の汁を完全な液体の野菜や果物の汁とすることができる。
【０００５】
上記は一般的なジューサーミキサーを利用し野菜や果物のジュースを搾る動作であるが、上記において、フィルターを利用し濾過した果肉やかすを、普通は廃棄してしまう。しかし前記の果肉やかす中には、なお少しの水分が残っているため、これを有効に利用しないのは、実に莫大な浪費である。
【考案の開示】
【考案が解決しようとする課題】
【０００６】
本考案人は、上記公知のジューサーミキサーにおける不足に鑑み、研究による克服を決意し、多年にわたり当該産業に従事して来た経験を以って、本考案ジューサーミキサー脱水装置の開発に成功した。
【０００７】
本考案が解決しようとする課題は、ジューサーミキサーの野菜や果物のジュースを搾る機能をさらに向上させることができるジューサーミキサー脱水装置を提供することである。
【課題を解決するための手段】
【０００８】
上記課題を解決するため、本考案は下記のジューサーミキサー脱水装置を提供する。
【０００９】
ジューサーミキサー脱水装置はカップ体、カップ状フィルター、上蓋を含み、
カップ体は容室、開孔、液体流出部を含み、しかも開孔と液体流出部はそれぞれ容室とカップ体外部に連通し、
カップ状フィルターはカップ体の容室内に収容設置し、カップ体との間には一定の空間を設け、しかもカップ状フィルターは収容室及び回転部品を含み、回転部品はカップ体の開孔を貫通し、カップ体外部において露出し、
上蓋はカップ体に蓋設し、カップ体の容室とカップ状フィルターの収容室を封鎖し、
上記構造を利用し、すでにジュースを搾る動作完成後の野菜や果物の汁を上記カップ状フィルターの収容室内に入れ、さらに脱水機原理（回転時に生じる遠心力原理）を利用し、前記の野菜や果物の汁にいわゆる「脱水」動作を行わせ、こうして純粋な液体に近い新鮮な野菜や果物の汁を得ることができ、またもとの野菜や果物の汁内に含まれる果肉やかすは内に含まれる水分を十分に搾り出され、こうしてジューサーミキサーの野菜や果物のジュースを搾る機能を向上させる目的を達成することができ、これにより伝統的な構造では果肉やかすを廃棄し浪費していた問題を回避することができ、
上記の構造はさらに漏斗を含み、しかも上記の上蓋は通孔を含み、しかも通孔はカップ状フィルターの収容室に連通し、同時に、漏斗は上蓋に設置され、通孔を貫通し、収容室に連通し、
これにより、漏斗の設計を利用し、すでにジュースを搾る動作完成後の野菜や果物の汁をさらに便利に上記カップ状フィルターの収容室内に入れることができる。
【考案の効果】
【００１０】
上記のように、本考案は野菜や果物のジュースを搾る機能をさらに向上させることができる。
【考案を実施するための最良の形態】
【００１１】
本考案の目的、特徴及び機能をより詳細に説明するために、以下の具体的な実施例に図式を合わせ、本考案を詳細に説明する。
【００１２】
本考案の最適な具体的実施例の分解図である図１、本考案の最適な具体的実施例の立体図である図２、本考案の最適な具体的実施例の断面図である図３に示すように、本考案のジューサーミキサー脱水装置１はカップ体１１、カップ状フィルター１２、上蓋１３を含む。
【００１３】
カップ体１１は容室１１１、開孔１１２、液体流出部１１３を含み、しかも開孔１１２と液体流出部１１３はそれぞれ容室１１１とカップ体１１外部に連通する。本実施例中において、前記の液体流出部１１３は蛇口である。
【００１４】
この他、図中のカップ状フィルター１２は上記カップ体１１の容室１１１内に収容設置され、カップ体１１との間に空間１２０を隔てる。しかもカップ状フィルター１２は収容室１２１及び回転部品１２２を含み、同時に、回転部品１２２はカップ体１１の開孔１１２を貫通し、カップ体１１外部に露出する。
【００１５】
本実施例中において、上記のカップ状フィルター１２は四個の補強リブ１２３を含み、これによりカップ状フィルター１２の構造強度を強化する。この他、回転部品１２２は定位リング１２４を環状に設置し、定位リング１２４はカップ状フィルター１２をさらに安定的にカップ体１１上に螺設定位する（図３参照）。また、回転部品１２２は連結部品１２５を含み、これにより外部回転機体２１を連結する（図４参照）。
【００１６】
さらに、図式中の上蓋１３はカップ体１１に蓋設し、カップ体１１の容室１１１とカップ状フィルター１２の収容室１２１を封鎖する。
【００１７】
本実施例中には、さらに漏斗１４を含み、しかも上記の上蓋１３は通孔１３１を含む。通孔１３１はカップ状フィルター１２の収容室１２１に連通し、しかも漏斗１４は上蓋１３に設置され、通孔１３１を貫通し収容室１２１に連通する。
【００１８】
本考案の最適な具体的実施例の使用状態の立体図である図４、本考案の最適な具体的実施例の使用状態の断面図の一つである図５、本考案の最適な具体的実施例の使用状態の断面図の二である図６に示すように、使用時には、先ず本考案のジューサーミキサー脱水装置１を外部回転機体２１（この外部回転機体２１はすなわち一般のジューサーミキサーの機体で、当該技術の習熟者が容易に知り得る技術であるため、ここでは詳述しない）上に設置し、回転部品１２２の連結部品１２５を外部回転機体２１の駆動源２１１に連結する。
【００１９】
続いて、すでにジュースを搾る動作完成後の野菜や果物の汁３１を上記カップ状フィルター１２の収容室１２１内に入れる。この際、漏斗１４の設計を利用し、前記の野菜や果物の汁３１はより便利に上記カップ状フィルター１２の収容室１２１内に入れることができる。
【００２０】
上記カップ状フィルター１２の収容室１２１内にはさらに濾紙１５を入れる。濾紙１５はより目の細かい網目のフィルターとすることができ、こうして濾過効果をより高めることができる。
【００２１】
続いて、外部回転機体２１を起動し、これにより駆動源２１１は回転を始め、しかも連結部品１２５により駆動源２１１に連結し、こうしてカップ状フィルター１２もこれに従い回転を始める。この時、カップ状フィルター１２の収容室１２１内にある野菜や果物の汁３１は、脱水機原理（回転時に生じる遠心力原理）を利用し、前記の野菜や果物の汁３１はいわゆる「脱水」動作を生じる。こうして純粋な液体に近い新鮮な野菜や果物の汁３２を得ることができ、しかもそれはカップ状フィルター１２を経由し濾過され、カップ状フィルター１２とカップ体１１を隔て間に空けられた空間１２０に流れ込む。これにより人々は液体流出部１１３（蛇口）を利用し、新鮮な野菜や果物の汁３２をグラスなど（図示なし）に注ぎ、飲用の動作を行う。
【００２２】
よって、上記構造を利用しいわゆる「脱水」動作を行い、すでにジュースを搾る動作完成後の野菜や果物の汁３１内に含まれる果肉やかす３１１は、内部に含まれる水分を十分に搾り出され、純粋な液体に近い新鮮な野菜や果物の汁３２を得ることができる。こうしてジューサーミキサーの野菜や果物のジュースを搾る機能を向上させる目的を達成することができ、これにより伝統的な構造では果肉やかすを廃棄し浪費していた問題を回避することができる。
【００２３】
この他、上記「脱水」動作過程において、もしより微小な果肉やかすが出た時には、より目の細かい網目を備える濾紙１５を利用して濾過を行うことができる。こうしてカップ状フィルター１２の濾過効果をさらに高めることができ、しかも濾紙１５は便利に取り出し、洗浄することができ、使用上さらに高い利便性を備える。
【００２４】
上記のように、本考案は実用新案の三要件である新規性、進歩性、産業上の利用性に完全に符合している。新規性と進歩性については、脱水（遠心力）原理を利用し、純粋な液体に近い新鮮な野菜や果物の汁を得ることができ、これにより伝統的な構造では果肉やかすを廃棄し浪費していた問題を回避することができる。産業上の利用性については、本考案から派生する製品を利用し、市場のニーズに十分に応えることができる。
【図面の簡単な説明】
【００２５】
【図１】本考案の最適な具体的実施例の分解図である。
【図２】本考案の最適な具体的実施例の立体図である。
【図３】本考案の最適な具体的実施例の断面図である。
【図４】本考案の最適な具体的実施例の使用状態の立体図である。
【図５】本考案の最適な具体的実施例の使用状態の断面図の一つである。
【図６】本考案の最適な具体的実施例の使用状態の断面図のもう一つである。
【符号の説明】
【００２６】
１  ジューサーミキサー脱水装置
１１  カップ体
１１１  容室
１１２  開孔
１１３  液体流出部
１２  カップ状フィルター
１２０  空間
１２１  収容室
１２２  回転部品
１２３  補強リブ
１２４  定位リング
１２５  連結部品
１３  上蓋
１３１  通孔
１４  漏斗
１５  濾紙
２１  外部回転機体
２１１  駆動源
３１  野菜や果物の汁
３１１  果肉やかす
３２  新鮮な野菜や果物の汁
【図１】
0003142075.tif 000003
【図２】
0003142075.tif 000004
【図３】
0003142075.tif 000005
【図４】
0003142075.tif 000006
【図５】
0003142075.tif 000007
【図６】
0003142075.tif 000008